(57)【要約】【課題】  片口金ランプを水平姿勢に装着し、反射板の形状を制限することなく、器具本体の高さを抑えることができる照明器具を提供する。【解決手段】器具本体１が天井の埋め込み穴６に挿入される。ランプソケット１１は器具本体１に取付けられて片口金蛍光ランプ１２を水平姿勢に装着する。ボルト吊り具１６は、器具本体１の天部に後付け可能に構成された取付部２０を有するとともに、吊りボルトに連結するボルト連結部１７を有し、ボルト連結部１７が取付部２０より吊りボルトを連結するために必要な高さ上方に位置している。器具本体１は天井板５の裏面に係止する取付具８を有する。ボルト吊り具のボルト連結部は、器具本体１の鉛直方向の器具中心軸１０上にボルト取付穴を形成し、取付部２０は器具中心軸１０から偏心している。  【選択図】        図１
2006302796.tif 000002
【特許請求の範囲】
【請求項１】
天井の埋め込み穴に挿入される器具本体と、この器具本体に取付けられて片口金ランプを水平姿勢に装着するランプソケットと、前記器具本体の天部に後付け可能に構成された取付部を有するとともに吊りボルトに連結するボルト連結部を有し前記ボルト連結部が前記取付部より前記吊りボルトを連結するために必要な高さ上方に位置するボルト吊り具とを備えた埋込型照明器具。  
【請求項２】
前記器具本体は天井板の裏面に係止する取付具を有する請求項１記載の埋込型照明器具。
【請求項３】
前記ボルト吊り具の前記ボルト連結部は、前記器具本体の鉛直方向の器具中心軸上にボルト取付穴を形成し、前記取付部は前記器具中心軸から偏心している請求項１または請求項２記載の照明器具。  
【請求項４】
前記器具本体の鉛直方向の器具中心軸を含む位置で前記天部に開口部を形成し、前記ボルト吊り具の前記取付部は前記開口部を通して前記天部の下側に重なる請求項３記載の照明器具。  
【発明の詳細な説明】
【技術分野】
【０００１】
この発明は、略水平を含む水平姿勢の片口金ランプを有する埋込型照明器具に関するものである。
【背景技術】
【０００２】
第１の従来例を図５に示す。すなわち、５０は天井、５１は取付枠、５２は器具本体、５３はオートリフタ本体、５４は吊りベルト、５５は昇降部、５６は安定器ボックス、５７はランプソケット、５８は反射板、５９はランプ軸が縦姿勢の片口金ランプ、６０は落下防止ワイヤ、６１はランプ用電源線、６２は吊りボルトである。
【０００３】
この埋込型照明器具は、片口金ランプ５９のランプ軸が鉛直方向で設置され、器具本体５２の周囲に複数の吊りボルト用アーム６３を設け、吊りボルト用アーム６３に吊りボルト６２を連結して器具本体５２を吊りボルト６２に保持している。
【０００４】
第２の従来例を図６に示す。この埋込型照明器具は、器具本体７０のランプソケット７１に水平姿勢の片口金蛍光ランプ７２を装着したものである。器具本体７０の側部に天井裏面７５に係止する取付具７４を設けるとともに器具本体７０の天部にボルト取付用穴７６を形成し、吊りボルト（図示せず）を取付けるようにしている。
【特許文献１】特開平８−１７２２９号公報
【発明の開示】
【発明が解決しようとする課題】
【０００５】
第１の従来例は、片口金ランプ５９のランプ軸が垂直であるため、器具高さが高くなる。また吊りボルト用アーム６３を後から取付けることが可能であったが、照明器具中心部にランプソケット５７など照明器具構成部品があるため、ボルト吊りを２点以上で行わなければならなかった。
【０００６】
第２の従来例は、片口金蛍光ランプ７２が水平姿勢であるため、器具高さを低くすることができるが、吊りボルトに器具本体７０を取付けるために吊りボルトを引き込むことができる空間を器具本体７０の天部と反射板７７の上面との間に形成する必要があるため、照明器具の高さが大きくなってしまう。このため、照明器具が大型化重量化し搬送容易でなくなり、器具包装費が嵩張る。
【０００７】
そこで反射板７７を小さくすることにより空間を確保することが考えられるが、反射板形状が制限されてしまう。
【０００８】
したがって、この発明の目的は、片口金ランプを水平姿勢に装着し、しかも反射板の形状を制限することなく、器具本体の高さを抑えることができる照明器具を提供することである。
【課題を解決するための手段】
【０００９】
この発明の照明器具は、器具本体が天井の埋め込み穴に挿入される。ランプソケットは器具本体に取付けられて片口金ランプを水平姿勢に装着する。ボルト吊り具は、前記器具本体の天面部に後付け可能に構成された取付部を有するとともに、吊りボルトに連結するボルト連結部を有し、前記ボルト連結部が前記取付部より前記吊りボルトを連結するために必要な高さ上方に位置するものである。  
【００１０】
上記構成において、前記器具本体は天井板の裏面に係止する取付具を有する。
【００１１】
上記構成において、前記ボルト吊り具の前記ボルト連結部は、前記器具本体の鉛直方向の器具中心軸上にボルト取付穴を形成し、前記取付部は前記中心軸から偏心している。  
【００１２】
上記構成において、前記器具本体の鉛直方向の器具中心軸を含む位置で前記天部に開口部を形成し、前記ボルト吊り具の前記取付部は前記開口部を通して前記天部の下側に重なる。  
【発明の効果】
【００１３】
この発明の照明器具によれば、ボルト吊り具を器具本体と別体にし現場で取付けることができるようにしたため、器具本体自体を小型軽量化でき搬送容易になるとともに梱包費が節減できる。また器具本体にボルト吊り具を取付けることにより、ボルト吊り具で吊りボルトを引き込むための高さを確保することができ、反射板を制限することなく、器具本体をボルト吊り具を介して吊りボルトに取付けることができる。
【００１４】
また器具本体に取付具を設けると、現場に合わせて吊りボルトと取付具とを選択することができるとともに、吊りボルトで取付けない場合にはボルト吊り具を外すことにより必要な天井懐を低減することができる。
【００１５】
ボルト吊り具のボルト取付用穴を器具本体の中心軸上に位置すると１本の吊りボルトで吊ることができ、ボルト吊り具の取付部を中心軸から偏心すると、吊りボルトを引き込み連結作業する空間を広くすることができ、連結作業が容易になる。
【発明を実施するための最良の形態】
【００１６】
この発明の一実施の形態の埋込型照明器具を図１から図４により説明する。器具本体１は複数の支柱２と、支柱２の上端部に連結される天部を形成する天板３と、支柱２の下端部に連結される枠４とを有する。天井板５の埋め込み穴６に器具本体１が挿入され、枠４のつば４ａが天井板５の下面に係止する。各支柱２には縦長のスリット７を形成し、スリット７に例えば金具製の取付具８が取付けられており、第１の取付け方法として取付具８の先端を天井板５の裏面に係止して器具本体１が天井に取付けられる。
【００１７】
枠４には有天筒状の反射板（鏡）９の下端部が係載されている。ここで器具本体１の鉛直方向の器具中心軸１０は反射板９の中心軸および枠４の中心軸と一致している。天板３は水平片３ａと水平片３ａの先端より連続した垂直片３ｂからなるＬ字形をなしている。垂直片３ｂに反射板９に向けてランプソケット１１が取付けられ、ランプソケット１１に片口金ランプ例えば蛍光ランプ１２が装着されている。反射板９の側面にランプ挿入穴を形成し片口金蛍光ランプ１２の発光部がランプ挿入穴を通して反射板９内に配置されている。
【００１８】
天板３の水平片３ａの垂直片３ｂと反対側の端部はその端縁に沿った線１３の中心位置（端縁の幅方向の中心）が器具中心軸１０に交差し、水平片３ａの端部の線１３に沿った幅方向の中央に吊りボルト（図示せず）を引き込むための開口部１４を切欠きにより形成している。また器具中心軸１０から偏心した位置すなわち、線１３から垂直片３ｂ側に所定距離離れた位置に取付穴１５を形成している。第２の取付方法として例えば金具製のボルト吊り具１６は、例えば略円形のボルト連結部１７の中心に例えば長孔によりボルト取付穴１８が形成され、両側部より吊りボルトを引き込み代として必要な高さＨの寸法をもつ腕１９が延び、腕１９の先端に取付部２０が折曲され、取付部２０に取付穴１５に整合する連結穴２１が形成されている。ボルト取付穴１８の中心と腕１９の側縁とは図４（ａ）に示すように一直線上に揃っている。
【００１９】
腕１９が水平片３ａの開口部１４に通されて取付部２０を水平片３ａの下側に重ね、連結穴２１を取付穴１５に整合し、ねじとナットなどの連結具２２で水平片３ａと取付部２０を連結している。この場合、反射板９に形成した穴を通して連結具２２の連結作業を行ってもよい。また取付穴１５をねじ孔により形成してナットを省略してもよい。これによりボルト連結部１７は開口部１４の高さＨの上方に位置することとなる。吊りボルトの下端をボルト取付穴１８に通し、ボルト連結部１７の下側でナットを締めつけて吊りボルトにボルト連結部１７を取付ける。これにより、１本の吊りボルトで器具本体１を天井５に取付けることができる。また取付部２０を水平片３ａの下側に位置することにより連結具２２への荷重を軽減している。
【００２０】
２４は天井板５の裏面に載置された安定器ボックスであり、内部に安定器２５が収納され、器具本体１のランプソケット１１と電線２６により接続されている。
【００２１】
この実施の形態によれば、器具本体１のボルト吊り部位を器具中心軸１０上に設けることにより、ボルト１点にてバランスよく器具本体１を吊りボルトに取付けることができる。また施工現場の状況に合わせて、施工方法を取付具８とするか吊りボルトとするかの変更が可能である。吊りボルトを用いない場合は、ボルト吊り具１６を必要とせず、器具本体１の埋め込み必要高さを高さＨ分低減することができる。このように器具本体１自体の小型化により梱包材料の節減や器具包装の才数が小さくなり、包装費が節減できる。
【図面の簡単な説明】
【００２２】
【図１】この発明の一実施の形態の部分断面側面図である。
【図２】その平面図である。
【図３】天板の平面図である。
【図４】（ａ）はボルト吊り具の平面図、（ｂ）は斜視図である。
【図５】第１の従来例の要部斜視図である。
【図６】（ａ）は第２の従来例の平面図、（ｂ）はその部分断面側面図である。
【符号の説明】
【００２３】
１    器具本体
３    天面部
５    天井板
６    埋め込み穴
１０    器具中心軸
１１    ランプソケット
１２    片口金蛍光ランプ
１４    開口部
１６    ボルト吊り具  
１７    ボルト連結部
１８    ボルト取付穴  
２０    取付部
【図１】
2006302796.tif 000003
【図２】
2006302796.tif 000004
【図３】
2006302796.tif 000005
【図４】
2006302796.tif 000006
【図５】
2006302796.tif 000007
【図６】
2006302796.tif 000008